(57)【要約】【課題】本発明の課題は、人の出入りが頻繁にあり複数の部屋を有する宿泊施設内において、無駄がなくかつ利用客に負担のない効果的なデマンド制御を実現することを可能とすることである。【解決手段】宿泊施設の部屋Ｒに環境を提供する環境提供装置の電力デマンドを制御するデマンド制御装置１０であって、検出信号判定部１２ａと、優先度決定部１２ｂと、デマンド制御指令部１２ｄと、を備える。検出信号判定部１２ａは、部屋において利用客が居ることを示す第１検出信号を受信したかどうかを判定する。優先度決定部１２ｂは、検出信号判定部による判定処理により、デマンド制御の優先度である第１優先度を決定する。デマンド制御指令部１２ｄは、第１優先度に応じてデマンド制御指令を生成し発信する。【選択図】図１
2008045768.tif 000002
【特許請求の範囲】
【請求項１】
宿泊施設の部屋（Ｒ）に環境を提供する環境提供装置の電力デマンドを制御するデマンド制御装置（１０）であって、
前記部屋において利用客が居ることを示す第１検出信号を受信したかどうかを判定する検出信号判定部（１２ａ）と、
前記検出信号判定部による判定処理により、前記デマンド制御の優先度である第１優先度を決定する優先度決定部（１２ｂ）と、
前記第１優先度に応じてデマンド制御指令を生成し発信するデマンド制御指令部（１２ｄ）と、
を備える、デマンド制御装置。
【請求項２】
前記検出信号判定部（１２ａ）はさらに、前記部屋（Ｒ）において従業員が居ることを示す第２検出信号を受信したかどうかを判定し、
前記優先度決定部（１２ｂ）は、前記第２検出信号により、前記第１優先度を決定する、
請求項１記載のデマンド制御装置。
【請求項３】
前記第１優先度に関する情報を記憶する優先度記憶部（１３ａ）を備え、
記憶された前記第１優先度に関する情報は、前記第１優先度が決定される毎に記憶され、または更新される、
請求項１または２記載のデマンド制御装置。
【請求項４】
前記受信部（１１）は、前記部屋（Ｒ）の利用スケジュールに関する情報を受信し、
前記優先度決定部（１２ｂ）は、予め記憶された前記利用スケジュールに従って第２優先度を決定し、
前記デマンド制御指令部（１２ｄ）は、前記第２優先度に応じてデマンド制御指令を生成する、
請求項１記載のデマンド制御装置。
【請求項５】
前記環境提供装置は空調機（ＡＣ）であり、
前記デマンド制御指令部（１２ｄ）は、前記空調機毎に前記デマンド制御指令を生成し、前記空調機に対して発信する、
請求項１記載のデマンド制御装置。
【請求項６】
請求項１記載の前記デマンド制御装置（１０）と、
前記快適環境提供装置と、
前記第１検出信号を検出する第１検出装置（４２）と、
を備える、デマンド制御システム。
【請求項７】
前記部屋（Ｒ）において従業員が居ることを示す第２検出信号を検出する第２検出装置（５０）を備える、
請求項６記載のデマンド制御システム。
【請求項８】
前記第１および第２検出信号は、宿泊施設の管理システム（３０）を介して、前記デマンド制御装置（１０）に送信される、
請求項６または７に記載のデマンド制御システム。
【請求項９】
宿泊施設の各部屋に環境を提供する環境提供装置の電力デマンドを制御するデマンド制御方法であって、
前記部屋において利用客の在／不在を判定する第１ステップと、
前記部屋において従業員の在／不在を判定する第２ステップと、
前記第１および前記第２ステップによる判定結果に基づき、デマンド制御の優先度を決定する第３ステップと、
前記優先度に応じてデマンド制御指令を生成し送信する第４ステップと、
を備える、デマンド制御方法。
【請求項１０】
宿泊施設の各部屋に環境を提供する環境提供装置の電力デマンドを制御するためのコンピュータプログラム（１３ｂ）であって、
前記部屋において利用客の在／不在を判定する第１ステップと、
前記部屋において従業員の在／不在を判定する第２ステップと、
前記第１および前記第２ステップによる判定結果に基づき、デマンド制御の優先度を決定する第３ステップと、
前記優先度に応じてデマンド制御指令を生成し送信する第４ステップと、
を備える、プログラム。
【発明の詳細な説明】
【技術分野】
【０００１】
本発明は、宿泊施設におけるデマンド制御を行うデマンド制御装置、デマンド制御システム、デマンド制御方法およびデマンド制御プログラムに関する。
【背景技術】
【０００２】
従来、省エネ対策やコスト削減等の要請からデマンド制御を導入する施設が増えている。効率的なデマンド制御を実現する方法として、建物内のエリア毎やエリアに属する人毎等に優先度をつけ、その優先度に応じてデマンド制御を行う方法が開示されている（例えば、特許文献１等）。
【特許文献１】特開２００５−２９１５８８号公報
【発明の開示】
【発明が解決しようとする課題】
【０００３】
しかし、宿泊施設等においては、多数の部屋毎に人が頻繁に出入りしかつ利用客へ不快感を与えないようサービスを優先しなければならないことから、デマンド制御を積極的に導入しにくいという特異性がある。さらに宿泊施設においては、利用客のチェックイン・チェックアウトや外出・帰室のとき、室内の清掃中のとき等、人の移動によって実質上の優先順位が変わるため、上述のようにエリア毎や同エリアに属する人毎に固定的に優先度を設定してデマンド制御をかけることはできない。
【０００４】
本発明の課題は、人の出入りが頻繁にあり複数の部屋を有する宿泊施設内において、無駄がなくかつ利用客に負担のない効果的なデマンド制御を実現することを可能とすることである。
【課題を解決するための手段】
【０００５】
第１発明に係るデマンド制御装置は、宿泊施設の部屋に環境を提供する環境提供装置の電力デマンドを制御するデマンド制御装置であって、検出信号判定部と、優先度決定部と、デマンド制御指令部とを備える。検出信号判定部は、部屋において利用客が居ることを示す第１検出信号を受信したかどうかを判定する。優先度決定部は、検出信号判定部による判定処理により、デマンド制御の優先度である第１優先度を決定する。デマンド制御指令部は、第１優先度に応じてデマンド制御指令を生成し発信する。
【０００６】
ここで、環境提供装置とは、空調機、照明、換気等の室内のエネルギー消費機器を含む。
【０００７】
これにより、リアルタイムに優先度を変更設定でき、無駄がなくかつ利用客に負担のない効果的なデマンド制御を実現することを可能とする。
【０００８】
第２発明に係るデマンド制御装置は、第１発明のデマンド制御装置であって、検出信号判定部はさらに、部屋において従業員が居ることを示す第２検出信号を受信したかどうかを判定し、優先度決定部は、第２検出信号により第１優先度を決定する。
【０００９】
これにより、人の在／不在を検出するだけでなく、利用客か従業員かを検出してデマンド制御の優先度を決定できるため、さらに無駄がなくかつ利用客に負担のない効果的なデマンド制御を実現することを可能とする。
【００１０】
第３発明に係るデマンド制御装置は、第１または第２発明のデマンド制御装置であって、第１優先度に関する情報を記憶する優先度記憶部を備え、記憶された第１優先度に関する情報は、第１優先度が決定される毎に記憶され、または更新される。ここで、第１優先度に関する情報とは、部屋を特定するＩＤ、先に決められた優先度、検出信号の受信時刻等を含む。
【００１１】
これにより、デマンド制御の優先度はリアルタイムに保存、更新される。
【００１２】
第４発明に係るデマンド制御装置は、第１発明のデマンド制御装置であって、受信部は、部屋の利用スケジュールに関する情報を受信し、優先度決定部は、予め記憶された利用スケジュールに従って第２優先度を決定し、デマンド制御指令部は、第２優先度に応じてデマンド制御指令を生成する。ここで、利用スケジュールに関する情報とは、部屋を特定するＩＤ、利用予定の有無、利用時間等を含む。
【００１３】
これにより、会場や店舗等利用スケジュールのある部屋については、別途優先度を得てデマンド制御を行うため、利用客に負担のない効果的なデマンド制御を可能とする。
【００１４】
第５発明に係るデマンド制御装置は、第１発明のデマンド制御装置であって、環境提供装置は空調機であり、デマンド制御指令部は、前記空調機毎にデマンド制御指令を生成し、空調機に対して発信する。ここで、空調機は室外機および部屋毎に設けられた室内機も含むものとする。
【００１５】
これにより、電力消費の変動が著しい空調機に対して効果的なデマンド制御を行うことができる。
【００１６】
第６発明に係るデマンド制御システムは、第１発明のデマンド制御装置と、快適環境提供装置と、第１検出信号を検出する第１検出装置とを備える。
【００１７】
これにより、リアルタイムに優先度を変更設定でき、無駄がなくかつ利用客に負担のない効果的なデマンド制御を実現することを可能とする。
【００１８】
第７発明に係るデマンド制御システムは、第６発明のデマンド制御システムであって、部屋において従業員が居ることを示す第２検出信号を検出する第２検出装置を備える。
【００１９】
これにより、リアルタイムに優先度を変更設定でき、さらに無駄がなくかつ利用客に負担のない効果的なデマンド制御を実現することを可能とする。
【００２０】
第８発明に係るデマンド制御システムは、第６または第７発明のデマンド制御システムであって、第１および第２検出信号は、宿泊施設の管理システムを介して、デマンド制御装置に送信される。ここで、宿泊施設の管理システムとは、利用客のチェックイン・チェックアウト、清掃の開始・完了、在室の有無等の情報を取得・保持し、インジケータ等を介して管理するシステムであって、宿泊施設において導入されている既存のシステムをいう。
【００２１】
これにより、宿泊施設に既存の管理システムを利用してデマンド制御システムを導入できるため、短期間かつ低コストでデマンド制御システムを導入できる。
【００２２】
第９発明に係るデマンド制御方法は、宿泊施設の各部屋に環境を提供する環境提供装置の電力デマンドを制御するデマンド制御方法であって、第１ステップから第４ステップを備える。第１ステップにおいては、部屋において利用客の在／不在を判定する。第２ステップにおいては、部屋において従業員の在／不在を判定する。第３ステップにおいては、第１および第２ステップによる判定結果に基づき、デマンド制御の優先度を決定する。第４ステップにおいては、優先度に応じてデマンド制御指令を生成し送信する。
【００２３】
これにより、リアルタイムに優先度を変更設定でき、無駄がなくかつ利用客に負担のない効果的なデマンド制御を実現することを可能とする。
【００２４】
第１０発明に係るデマンド制御プログラムは、宿泊施設の各部屋に環境を提供する環境提供装置の電力デマンドを制御するためのコンピュータプログラムであって、第１ステップから第４ステップを備える。第１ステップにおいては、部屋において利用客の在／不在を判定する。第２ステップにおいては、部屋において従業員の在／不在を判定する。第３ステップにおいては、第１および第２ステップによる判定結果に基づき、デマンド制御の優先度である優先度を決定する。第４ステップにおいては、優先度に応じてデマンド制御指令を生成し送信する。
【００２５】
これにより、リアルタイムに優先度を変更設定でき、無駄がなくかつ利用客に負担のない効果的なデマンド制御を実現することを可能とする。
【発明の効果】
【００２６】
第１発明に係るデマンド制御装置では、リアルタイムに優先度を変更設定でき、無駄がなくかつ利用客に負担のない効果的なデマンド制御を実現することを可能とする。
【００２７】
第２発明に係るデマンド制御装置では、人の在／不在を検出するだけでなく、利用客か従業員かを検出してデマンド制御の優先度を決定できるため、さらに無駄がなくかつ利用客に負担のない効果的なデマンド制御を実現することを可能とする。
【００２８】
第３発明に係るデマンド制御装置では、デマンド制御の優先度はリアルタイムに保存、更新される。
【００２９】
第４発明に係るデマンド制御装置では、会場や店舗等利用スケジュールのある部屋については、別途優先度を得てデマンド制御を行うため、利用客に負担のない効果的なデマンド制御を可能とする。
【００３０】
第５発明に係るデマンド制御装置では、電力消費の変動が著しい空調機に対して効果的なデマンド制御を行うことができる。
【００３１】
第６発明に係るデマンド制御システムでは、リアルタイムに優先度を変更設定でき、無駄がなくかつ利用客に負担のない効果的なデマンド制御を実現することを可能とする。
【００３２】
第７発明に係るデマンド制御システムでは、リアルタイムに優先度を変更設定でき、さらに無駄がなくかつ利用客に負担のない効果的なデマンド制御を実現することを可能とする。
【００３３】
第８発明に係るデマンド制御システムでは、宿泊施設に既存の管理システムを利用してデマンド制御システムを導入できるため、短期間かつ低コストでデマンド制御システムを導入できる。
【００３４】
第９発明に係るデマンド制御方法では、リアルタイムに優先度を変更設定でき、無駄がなくかつ利用客に負担のない効果的なデマンド制御を実現することを可能とする。
【００３５】
第１０発明に係るデマンド制御プログラムでは、リアルタイムに優先度を変更設定でき、無駄がなくかつ利用客に負担のない効果的なデマンド制御を実現することを可能とする。
【発明を実施するための最良の形態】
【００３６】
本発明の実施形態に係るデマンド制御システム１の全体的な構成図を、図１に示す。また、デマンド制御装置１０の構成を図２に概略的に示す。
【００３７】
＜デマンド制御システムの概略構成＞
図１に示すように、デマンド制御システム１は、ホテル等の宿泊施設に設けられ、主に、空調機ＡＣに対するデマンド制御を行うデマンド制御装置１０と、各部屋Ｒの空調を制御する空調管理装置２０と、ホテル管理装置３０と、ホテル管理装置３０と通信線３１を介して接続され各部屋に配された管理制御部４１とを有する。
【００３８】
デマンド制御装置１０は、後述するように、部屋毎の空調機ＡＣと制御線２１で結ばれ、デマンド制御の要否を判断し、デマンド制御を行う。空調管理装置２０は、各部屋の空調管理を行い、デマンド制御装置１０を介して空調制御を行う。
【００３９】
なお、本実施形態においては、デマンド制御の対象機器として主に空調機ＡＣを例として説明するが、その他の照明、換気、給湯等の機器を対象として同様にデマンド制御を行ってもよい。
【００４０】
ホテル管理装置３０は、ホテルの各部屋の管理を行う装置であって、チェックイン・チェックアウト、清掃開始・終了、在室の有無等の情報を取得・保持し、インジケータ等を介して管理する。ホテル管理装置３０には、ホテルの従業員が携帯する送信機５０からの信号を受信する受信部が設けられている。送信機５０は、各部屋において清掃や点検等の際にホテルの従業員が携帯し、ボタン操作等により信号を発信させる。
【００４１】
管理制御部４１は、各部屋に配されたキースイッチ４２（部屋のキーを差し込むことにより部屋内の電源をＯＮにする）が接続され、ＯＮ／ＯＦＦの情報等をホテル管理装置３０に送信する。
【００４２】
＜デマンド制御装置の概略構成＞
デマンド制御装置１０は、図２に示すように、受信部１１と、制御部１２と、記憶部１３と、送信部１４とを含むコンピュータである。
【００４３】
制御部１２はＣＰＵ等からなり、所定のプログラムに従ってデマンド制御のための制御処理を行う。制御部１２は、検出信号判定部１２ａと、優先度決定部１２ｂと、デマンド予測部１２ｃと、デマンド制御指令部１２ｄとを有する。検出信号判定部１２ａは、各部屋において利用客が居ることを示す検出信号（以下、第１検出信号と呼ぶ）を受信したかどうか、および各部屋において従業員が居ることを示す検出信号（以下、第２検出信号と呼ぶ）を受信したかどうかを判定する。
【００４４】
優先度決定部１２ｂは、検出信号判定部１２ａによる判定の結果に応じて、デマンド制御の優先度（以下、第１優先度と呼ぶ）を決定する。デマンド制御の優先度は、「高」、「中」、「低」のレベルを設け、優先度が「低」の部屋からデマンド制御を行う。なお、この優先度は、その施設の状況に応じて設定されるもので、段階を増やしたり、優先対象を変更したり自由に設定できる。
【００４５】
デマンド予測部１２ｃは、公知の所定の方法によりデマンド予測を行い、デマンド制御が必要かどうかを判定する。デマンド制御指令部１２ｄは、デマンド予測部１２ｃによりデマンド制御が必要であると判定された場合に、上記優先度に応じてデマンド制御指令を生成する。送信部１４は、生成されたデマンド制御指令を部屋Ｒ内の空調機ＡＣへ制御線２１を介して送信する。
【００４６】
記憶部１３は、決定された優先度を記憶し更新する優先度記憶部１３ａを有する。また記憶部１３は、ＲＯＭ等に格納され、後述するデマンド制御装置の処理を実行するためのデマンド制御プログラム１３ｂを保持する。
【００４７】
＜デマンド制御による空調機の動作＞
デマンド制御指令を受けた空調機ＡＣの動作について説明する。本実施形態における空調機ＡＣは、室外機（図示省略）と複数の室内機からなるいわゆるビルマルチ方式である。空調機ＡＣに対する制御としては、例えば室外機の能力を制御する方法として最大能力に段階を設けて抑制する方法（例えば、４段階（１００、７０、４０、０％）や１０％刻みの段階を設けて抑制する等）の他、室内機の設定温度の制御や運転のＯＮ／ＯＦＦにより部屋毎の制御が可能である。なお、セントラル空調方式を採用している場合は、ＯＮ／ＯＦＦや風量の調節等により制御が可能である。
【００４８】
＜デマンド制御システムの処理動作＞
上記実施形態のデマンド制御装置１０による処理の流れを図３および図４のフローチャートに沿って説明する。
【００４９】
＜優先度決定処理＞
まず、優先度決定処理を行う（Ｓ００１ステップ）。図４に示すように、デマンド制御装置１０はホテル管理装置３０に対し、ポーリングにより空調管理装置２０を介してホテル管理装置３０にアクセスする（Ｓ１０１ステップ）。このポーリング送信は、部屋毎に所定の時間間隔で行われる。次いで、同ポーリングに対して、ホテル管理装置３０は、第１検出信号を受信したか、第２検出信号を受信したか、または検出信号を受信していないかの情報を空調管理装置２０を介してデマンド制御装置１０に送信する。検出信号判定部１２ａは、まず、第１検出信号が受信されたかどうかを判定する（Ｓ１０２ステップ）。第１検出信号が受信された場合、同部屋には利用者が居ることになるため、優先度決定部１２ｂは空調機ＡＣに対し第１優先度を「高」と決定する（Ｓ１０３ステップ）。
【００５０】
第１検出信号が受信されていない場合、検出信号判定部１２ａは、第２検出信号が受信されたかどうかを判定する（Ｓ１０４ステップ）。第２検出信号が受信されていない場合、同部屋は無人であることになるため、優先度決定部１２ｂは空調機ＡＣに対し第１優先度を「低」と決定する（Ｓ１０６ステップ）。第２検出信号が受信された場合、同部屋では従業員が作業していることになるため、空調機ＡＣに対し第１優先度を「中」と決定する（Ｓ１０７ステップ）。決定された優先度は、優先度記憶部１３ａにおいて記憶されあるいは更新される（Ｓ１０８ステップ）。
【００５１】
なお、検出信号の受信はポーリングによるものには限定されず、ホテル管理装置３０から所定の時間間隔で送信する、あるいは状態変化の通知（COS(Change of Status)通知）を行うよう設定してもよい。
【００５２】
＜デマンド制御処理＞
次いで、上記のように決定された優先度は、図３に示すように、デマンド予測部１２ｃによりデマンド制御が必要かどうか判定される（Ｓ００２ステップ）。必要でないと判定された場合は処理を終了し、必要であると判定された場合は、優先度記憶部１３ａにおける優先度に応じてデマンド制御指令を生成し、空調機ＡＣに送信され、デマンド制御が行われる（Ｓ００３ステップ）。
【００５３】
＜実施形態に係るデマンド制御システムの特徴＞
（１）
本実施形態に係るデマンド制御システム１では、人の在／不在をリアルタイムに把握しデマンド制御の優先度を決定するため、ホテルのような宿泊施設においても無駄がなくかつ利用客に負担のない効果的なデマンド制御を実現できる。
【００５４】
（２）
本実施形態に係るデマンド制御システム１では、さらに人の在／不在に加えて利用者か従業員かを検出してデマンド制御の優先度を決定するため、さらに効果的なデマンド制御を実現できる。
【００５５】
（３）
本実施形態に係るデマンド制御システム１では、既存のホテル管理装置３０の情報を利用しているため、短期間かつ低コストでデマンド制御システムを導入できる。
【００５６】
＜実施形態の変形例＞
（Ａ）
上記実施形態における優先度決定に加えて、利用スケジュールによる優先度（以下、第２優先度と呼ぶ）を更に加えてもよい。その処理の一例を図５に示す。
【００５７】
図４に示した優先度決定処理を行った後（Ｓ１１１ステップ）、デマンド制御装置１０の制御部１２は、部屋において利用予定は有るかどうかを判定する（Ｓ１１２ステップ）。利用予定がない場合は処理を終了し、利用予定がある場合は、同部屋が利用中かどうかを判定する（Ｓ１１３ステップ）。利用中である場合は、優先度を変更できないため（すなわち、先の処理において優先度が「高」とされている）処理を終了し、利用中でない場合は、利用時間が間もなく開始するかどうか（例えば、１０分以内で開始するかどうか）を判定する（Ｓ１１４ステップ）。これは、利用時間開始まで間もない場合は予冷・予熱等を行うことで利用客の快適性を確保するためである。利用時間が間もなく開始する場合は、利用時間における優先度（第２優先度）を「高」に決定する（Ｓ１１５ステップ）。次いで、優先度記憶部１３ａを更新する（Ｓ１１６ステップ）。
【００５８】
図６は、優先度記憶部１３ａに記憶される情報の内容の一例を示す。各部屋に対し、デマンド制御装置１０によるポーリング時刻、利用予定、第１優先度および第２優先度を含む。第１優先度は第１および第２検出信号の受信の有無に基づき決定されたもので、第２優先度は利用予定に基づき決定されたものである。会議室３００１および３００２は、客室のように利用者が使用するキースイッチはないため、少なくとも第１検出信号が出されることはないことから第１優先度は「低」となっている。しかし、利用予定が入ることにより、上述のように第２優先度が決定され、同優先度に応じてデマンド制御が行われる。
【００５９】
また、客室において第２優先度を適用してもよい。例えば、利用客がチェックインしてからチェックアウトするまでを利用予定時間として設定し、第１優先度に優先する第２優先度を設定することもできる。
【００６０】
このように、利用スケジュールに基づいても優先度を決定することができるため、利用客の快適性を考慮しかつ無駄の少ないデマンド制御を実現できる。
【００６１】
（Ｂ）
上記実施形態においては、空調管理装置２０は、デマンド制御装置１０を介して各部屋内の機器に接続されているが、例えばセントラル空調方式が採用されている場合は、ホテル管理装置３０を介して空調管理・デマンド制御を行うようにしてもよい。
【００６２】
（Ｃ）
上記実施形態においては、従業員が送信機５０を携帯しボタン操作等により第２検出信号を発信させているが、従業員が携帯するＩＣカード等から部屋に備えられた受信機により自動的に第２検出信号を受信して、発信させるようにしてもよい。
【００６３】
（Ｄ）
デマンド制御中に優先度が変更された場合、特にデマンド制御中の部屋で第１検出信号が検出された場合、利用客が部屋に居ることになるため、デマンド制御の解除信号を発信する等して強制的にデマンド制御を解除するように設定してもよい。
【００６４】
（Ｅ）
上記実施形態においては、第１優先度は第１検出信号または第２検出信号の受信に応じて決定されるが、双方の検出信号が重複して受信された場合、予め設定された優先順位に基づきいずれかの検出信号を優先させてもよい。例えば、上記実施形態においては、利用客が部屋に居る間に従業員も部屋に居るような状況があった場合、利用客がいることを示す第１検出信号を優先させて、デマンド制御の優先度を「高」とするように設定してもよい。
【００６５】
（Ｆ）
上記実施形態においては、本発明のデマンド制御システムを宿泊施設に導入した場合について説明しているが、同様のニーズが発生する施設、例えば商業施設や公共施設等に適用してもよい。
【産業上の利用可能性】
【００６６】
本発明に係るデマンド制御装置、デマンド制御システム、デマンド制御方法およびデマンド制御プログラムは、人の出入りが頻繁にあり複数の部屋を有する宿泊施設内において、無駄がなくかつ利用客に負担のない効果的なデマンド制御を実現することを可能とするため効果的である。
【図面の簡単な説明】
【００６７】
【図１】本発明の実施形態に係るデマンド制御システムの全体構成図。
【図２】本発明の実施形態に係るデマンド制御装置の概略構成図。
【図３】本発明の実施形態に係るデマンド制御の処理の流れを示すフローチャート。
【図４】上記デマンド制御の処理におけるデマンド制御の優先度決定処理の流れを示すフローチャート。
【図５】上記実施形態の優先度決定処理の変形例の流れを示すフローチャート。
【図６】上記変形例における優先度に関する情報を示す図。
【符号の説明】
【００６８】
１          デマンド制御システム
１０        デマンド制御装置
１１        受信部
１２        制御部
１３        記憶部
１４        送信部
２０        空調管理装置
２１        制御線
３０        ホテル管理装置（管理システム）
３１        通信線
４１        管理制御部
４２        キースイッチ
５０        従業員携帯送信機
【図１】
2008045768.tif 000003
【図２】
2008045768.tif 000004
【図３】
2008045768.tif 000005
【図４】
2008045768.tif 000006
【図５】
2008045768.tif 000007
【図６】
2008045768.tif 000008